(57)【要約】【課題】  散歩中のペットが糞をする場合、手を汚すことなく糞を収容することが出来るペット用携帯トイレの提供。【解決手段】  アーム１の先端には収容部２を設けると共に該収容部２には開閉蓋３ａ，３ｂが取付けられ、そして収容部２の収容空間には紙袋１３をセットしている。【選択図】    図１
0003125778.tif 000002
【実用新案登録請求の範囲】
【請求項１】
散歩中のペットの糞を収容する為に持ち歩くことが出来る携帯トイレにおいて、アームの先端には収容部を設けると共に該収容部には開閉蓋が取付けられ、そして収容部の収容空間には紙袋などの収容袋をセット可能としたことを特徴とするペット用携帯トイレ。
【請求項２】
散歩中のペットの糞を収容する為に持ち歩くことが出来る携帯トイレにおいて、アームの先端には収容部を設けると共に該収容部には開閉蓋が取付けられ、蓋は軸を中心として回転するように軸支され、該軸には同心をなして蓋に固定したピニオンが設けられ、そして両ピニオンに噛み合うラックを設け、ラック後端からスライド棒を延ばして先端にはハンドルを屈曲して設け、上記アームに形成したガイド溝にはハンドルを嵌めてスライドすると共にハンドルが係合する係合溝を形成し、さらに上記ラックには蓋が閉じるようにバネ力を付勢し、上記収容部の収容空間には紙袋などの収容袋をセット可能にしたことを特徴とするペット用携帯トイレ。
【請求項３】
上記蓋に収容袋を止着する為のクリップを設けた請求項１、又は請求項２記載のペット糞の処理具。
【請求項４】
散歩中のペットの糞を収容するための携帯トイレであって、アームの先端の収容部に設けた蓋を開いて形成される収容空間にセットされる紙袋などの収容袋において、該収容袋の内面には蓋が閉じることで互いに接着される糊層を形成したことを特徴とするペット糞の収容袋。
【請求項５】
散歩中のペットの糞を収容する為に持ち歩くことが出来る携帯トイレにおいて、アームの先端には概略半球体の収容部を設けると共に該収容部には１／４球体の蓋が取付けられ、蓋は軸を中心として回転するように軸支され、また蓋には常に閉じる方向のバネ力が付勢され、そして蓋を開いた状態に保つ為の保持手段を設け、上記収容部の収容空間には紙袋などの収容袋をセット可能にしたことを特徴とするペット用携帯トイレ。
【請求項６】
散歩中のペットの糞を収容する為に持ち歩くことが出来る携帯トイレにおいて、アームの先端には概略半球体の収容部を設けると共に該収容部には１／４球体の蓋が取付けられ、蓋は軸を中心として回転するように軸支され、また蓋には常に閉じる方向のバネ力が付勢され、そして蓋を開いた状態に保つ為に蓋に形成した穴に嵌入ピンを挿入し、該嵌入ピンは操作棒に連結して穴から離脱可能とし、さらに上記収容部の収容空間には紙袋などの収容袋をセット可能にしたことを特徴とするペット用携帯トイレ。
【請求項７】
散歩中のペットの糞を収容する為に持ち歩くことが出来る携帯トイレであって、アームの先端の収容部に設けた蓋を開いて形成される収容空間にセットされる紙袋などの収容袋において、該収容袋は概略半球体をなして上部には縁リングを設け、縁リングは中立軸を中心として回転すると共に収容袋の容器は伸縮可能な蛇腹形態として該縁リングは閉じることが出来、縁リングの下面には蓋のリング上面に接着される粘着層を形成すると共に、閉じた縁リングが互いに固着するように上面にも粘着層を設けたことを特徴とするペット糞の収容袋。
【請求項８】
散歩中のペットの糞を収容する為に持ち歩くことが出来る携帯トイレであって、アームの先端の収容部に設けた蓋を開いて形成される収容空間にセットされる紙袋などの収容袋において、上記収容部は概略半球体をなすと共に蓋は１／４球体として収容部に設けた軸を中心として回転するように軸支され、また蓋には常に閉じる方向のバネ力を付勢して構成され、収容袋は収容部の収容空間に嵌る容器部と蓋が閉じた際に挟まれると共に該蓋から外にはみ出すことが出来る周辺部を形成したことを特徴とするペット糞の収容袋。
【考案の詳細な説明】
【技術分野】
【０００１】
ペットを散歩に連れ出す場合、場所をわきまえずに糞をするが、本考案は手を汚すことなくこの糞を収容して処理するためのペット用携帯トイレに関するものである。
【背景技術】
【０００２】
近年はペットブームであって、多くの家庭で犬や猫を飼っている場合が多く、内閣府の調べによると人口１００万以上の大都市では約３０％、人口１５万以上で１００万未満の中都市では約３４％、人口５万以上で１５万未満の小都市では約３８％、さらに町村では約４７％がペットを飼育している。
【０００３】
そして、これらペットに費やされる費用も高くなっている。購入時の平均価格は、犬が１２万円以上、猫が７万円以上となり、そして１ヶ月当りのフード平均支出額は犬が５６００円程度、猫が６３００円程度となっていて、家計支出に対する大きな割合を占めるようになっている。このようなことから、ペットに対する愛情も高く、子供がいない家庭は勿論であるが、子供が大きく成長した後は、わが子のように可愛がっている。
【０００４】
従って、早朝又は夕方にペットを連れて散歩に出かけるケースは多く見受けられ、同じく公園などでもペットを遊ばしている光景を見受ける。ところで、ペットを外へ連れ出すならば、その場所をわきまえずに糞をすることは常であり、飼主はこの糞を処理しなくてはならない。一般的には、小さなスコップを持ち歩いて、このスコップで糞を取り除いてビニール袋に入れて家に持ち帰り、持ち帰った糞はトイレに入れて流される。
【０００５】
上記スコップによって糞を除去しても、路面にはその一部が付着して残り、これが他の通行人に不快感を与えている。例えば、公園などでは非常に多くのペットが散歩しており、これらペットの糞が公園のあらゆる所に一部付着して残るならば、公園全体に臭いが漂う。飼主によっては、地面に付着した糞をティシュで拭取る人もいるが、このような人はごく稀である。勿論、チッシュで拭取る際には手に付着して汚れる場合もあり、色々と問題も残る。
【０００６】
従来において、ペットがする糞を手軽に処理するための技術は色々知られている。例えば、特開２００４−９７１８３号に係る「ペット用糞処理具」は、ペット（主に犬）の散歩中に発生する糞の処理を抵抗なく簡単に処理できるようにしたものであり、棒の一端に袋を取付けることができるように、中央部に溝のある枠を棒と枠の取付け部分の角度が３５度前後になるように取付け、袋の脱落を防止するために枠の外側からワイヤーを溝に沿わせて、袋を折り返した部分を押さえてパッチン錠で固定している。
【０００７】
特開２００３−２２５０３０号に係る「犬の糞処理器」は、道路、公園、空地等でペットが糞をしようとする際、糞を落とすことなく、しかも手を汚すことなく、容易に処理することができるペット糞処理回収用具である。犬を散歩に連れていくときに、受皿容器に蓋体を閉じたままで、糞処理器本体の把持部を手で持っていく。犬が糞をするしぐさをしたときに、糞を受皿容器に収容するために、引棒の先端部を持って引き、蓋体を開く、引棒の先端部を引いたままの状態で、受皿容器を糞の落下する位置に持っていく、糞を受皿容器に収容した後、蓋体を閉じるために、引棒の先端部を押さえて、元の位置にもどし確実に閉じることが出来る。
【０００８】
これらペットの糞処理器は、従来の小さなスコップにて地面に落ちた糞を取除いてビニール袋に入れる場合に比較して便利であるが、糞処理器に収容した後の糞の処分が面倒である。
【特許文献１】特開２００４−９７１８３号に係る「ペット用糞処理具」
【特許文献２】特開２００３−２２５０３０号に係る「犬の糞処理器」
【考案の開示】
【考案が解決しようとする課題】
【０００９】
このように、散歩中のペットがする糞の処理には上記のごとき問題がある。本考案が解決しようとする課題はこの問題点であり、手を汚すことなくペットがした糞を手軽に処理することが出来るペット用携帯トイレを提供する。又、携帯トイレの収容部にセットして糞を包み込んでトイレに捨てることが出来るペット糞の収容袋を提供する。
【課題を解決するための手段】
【００１０】
本考案に係るペット用携帯トイレは、散歩中のペットがする糞を地面に落とすことなく収容することが出来、収容した糞をトイレに簡単に捨てることが出来るように構成している。そこで、本考案のペット用携帯トイレはアームの先端に収容部を設け、該収容部には開閉蓋を備えている。そして、収容部内には糞を包み込むことが出来る紙袋などの収容袋がセットされ、この収容袋は蓋を閉じることで糞を包み込むことが出来る。
【００１１】
ところで、上記蓋はバネ力(弾性力)の作用で常に閉じることが出来る構造としている。しかも、ハンドル操作やレバー操作で上記蓋は開くことが出来る。勿論、バネ力にて蓋を開くように構成することもあり、バネを備えることなく構成することも出来る。そこで、ペットが糞をする際には蓋を開いて所定の位置に収容部を差し出すことで、糞は収容部内に落下して収容される。そして、ハンドルを解除して蓋を閉じることが出来る。ここで、収容部には収容袋がセットされているために、糞は収容袋内に収容され、そして該収容袋の口は蓋を閉じると同時に閉じられる。
【００１２】
上記収容部の形態及び蓋の開閉機構は限定しないことにする。そして、上記収容袋は一般に紙袋が使用されるが、該紙袋の代わりに耐水性のある材質で構成した収容袋を使用する場合もある。すなわち、雨天時であって雨に濡れても収容部にセットできる収容袋が必要となる。ここで、収容袋の形態も特に限定することはなく、収容部にセットされて蓋が閉じると共に収容袋も閉じられる。
【考案の効果】
【００１３】
本考案に係るペット用携帯トイレは、アームの先端に設けている収容部を差し出すことでペットの糞を受けることが出来る。すなわち、ペットが糞をする場合にはその様子から判断できるために、ハンドルを操作して蓋を開いて所定の位置へ差し出すならば、収容部にセットした収容袋に糞が落下して収容される。従って、ペットの糞が地面に落下することがなく、その為に地面が糞で汚れることはなくなる。そして、糞は収容部にセットした収容袋に蓋を閉じると同時に包み込まれる為に、家に持ち帰って収容袋ごとトイレに捨てることが出来る。耐水性のある収容袋を使用した場合には、生ゴミとして処理することが出来る。
【実施例】
【００１４】
図１は本考案に係るペット用携帯トイレを表している実施例である。同図の１はアーム、２は収容部を表しており、該収容部２はアーム１の先端に設けられている。収容部２は内部に収容空間を有し、上部には蓋３ａ，３ｂが対を成して取付けられている。ここで、一方の蓋３ａは軸４ａを中心として回転し、他方の蓋３ｂは軸４ｂを中心として回転することが出来、その為に蓋３ａ，３ｂは開閉することが出来る。
【００１５】
ところで、上記蓋３ａ，３ｂは軸４ａ，４ｂを中心として矢印方向へ回転して開くことが出来るが、両蓋３ａ，３ｂは常に閉じるようにバネ力が付勢されている。すなわち、蓋３ａ，３ｂを開いてペットの糞を収容部２に入れ、収容部２から出ないように蓋３ａ，３ｂが閉じられる。蓋３ａ，３ｂが不注意で開いて糞が落下しないように、バネ力を付勢して蓋３ａ，３ｂを閉じている。
【００１６】
図２は上記蓋３ａ，３ｂの開閉機構を表しているが、軸４ａ，４ｂにはピニオン５ａ，５ｂが取着され、この両ピニオン５ａ，５ｂの間にはラック６が設けられている。軸４ａ，４ｂは収容部２の後方に設けられ、該軸４ａ，４ｂに軸支されたピニオン５ａ，５ｂは蓋３ａ，３ｂに固定されている。従って、ピニオン５ａ，５ｂが回転することで蓋３ａ，３ｂは同じく軸４ａ，４ｂを中心として回転することが出来る。
【００１７】
そこで、ピニオン５ａ，５ｂにはラック６が噛み合っている為に、ラック６の水平スライドによって該ピニオン５ａ，５ｂは回転することが出来る。しかも、両ピニオン５ａ，５ｂの回転角度は互いに等しくなっている。そして、ラック６の後端にはコイルスプリング７ａ，７ｂの一端が連結し、他端は連結部８ａ，８ｂに連結している。該連結部８ａ，８ｂは収容部側に設けられた部材である。
【００１８】
図２は蓋３ａ，３ｂが一部開いた状態であり、コイルスプリング７ａ，７ｂは引き伸ばされている。スライド棒９がラック６の後端から延び、該スライド棒９を押圧してラック６を左方向へ移動させるならば、蓋３ａ，３ｂは開くことができ、その時コイルスプリング７ａ，７ｂは引き伸ばされる。従って、スライド棒９の押圧を止めるならば、コイルスプリング７ａ，７ｂは元の長さに縮んでラック６は右方向へ移動し、蓋３ａ，３ｂは閉じることが出来る。
【００１９】
図３はアーム１の詳細図であり、アーム１はパイプで構成されて、中には上記スライド棒９が嵌っている。そしてアーム１には細長いガイド溝１０を軸方向に設け、先端には係合溝１１を垂直に屈曲して形成している。スライド棒９の先端にはハンドル１２が起立し、このハンドル１２はスライド棒９のスライドに伴って、ガイド溝１０に沿って移動することが出来る。その為に、ハンドル１２はアーム１から突出している。
【００２０】
さらに、ハンドル１２はその向きを変えることで、係合溝１１に係合することが出来、スライド棒９はロックされる。スライド棒９は図２に示すようにラック６の後端から延びているが、回転することが出来るように連結している。ラック６はその向きを変えることなくガイドされて移動するが、ハンドル１２の向きを変えて係合溝１１に係合することが出来るようにスライド棒９の軸を中心として回転可能となっている。
【００２１】
ハンドル１２を奥へ(収容部側へ)スライドして回転し、係合溝１１に係合するならば、ラック６は図２の左側へ移動して蓋３ａ，３ｂは開くことになる。この場合、コイルスプリング７ａ，７ｂは引き伸ばされるが、ハンドル１２を回転して係合溝１１に係合してロックされる。そして、ハンドル１２を係合溝１１から外すならば、コイルスプリング７ａ，７ｂのバネ力にてラック６は右方向へ移動して蓋３ａ，３ｂは閉じられる。この場合、ハンドル１２はガイド溝１０の右側（手前側）へ移動する。
【００２２】
図４は上記収容部２の内部空間にセットされる紙袋１３であり、該紙袋１３は収容袋の１形態であり、ペットの糞はこの紙袋内に収容される。収容部２に糞が直接触れないように、又その後の処理が簡単であるために紙袋１３を使用している。勿論、該紙袋１３の紙質は水洗トイレに流すことが出来るものでなくては成らない。
【００２３】
同図の紙袋１３は概略三角形断面とし、その両側部１４，１４の上縁には止着片１８，１８を形成している。すなわち、容器部２１は両側部１４，１４と背部１５及び正面部１６、そして底部１７を有し、概略三角形の底部１７の各辺から側部１４，１４、背部１５、及び正面部１６が起立しており、側部上縁からは止着片１８，１８を外方向へ延ばしている。そして、同図(ａ)のＢ−Ｂ断面を(ｂ)に示しているように、側部内面の上縁付近には糊層１９，１９を設けていて、両側部１４，１４は互いに接着することが出来る。同じく、背部１５及び正面部１６の上縁付近にも糊層１９が形成されている。
【００２４】
図５は収容部２に上記紙袋１３をセットした場合の平面図である。紙袋１３の容器部２１は収容部２に嵌り、両止着片１８，１８は収容部２から上方へはみ出している。ここで、蓋３ａ，３ｂは開いた状態とし、蓋３ａ，３ｂの上面にはクリップ２０，２０・・を設け、該クリップ２０，２０・・に紙袋１３の止着片１８，１８を挟んで止着している。従って、収容部２にセットした紙袋１３は該収容部２から外れることはない。ここで、蓋３ａ，３ｂを開くにはハンドル１２を押圧して係合溝１１に係合させる。
【００２５】
ペットを散歩させる際に、この携帯トイレを持ち歩き、ペットが糞をしようとする場合、アーム１を持って収容部２を所定の位置に置くならば、糞は収容部２の紙袋内に落ちて収容される。糞が収容されたところでハンドル１２を係合溝１１から外すならば、コイルスプリング７ａ，７ｂのバネ力によってラック６が移動して蓋３ａ，３ｂは閉じることが出来る。この場合、蓋３ａ，３ｂに設けたクリップ２０，２０・・に止着されている止着片１８，１８が互いに突き合わされ、両側部１４，１４の糊層１９，１９、及び背部１５、正面部１６の糊層１９，１９は互いに密着される。図６は紙袋１３の糊層１９，１９が密着して紙袋１３が閉じられた場合を示している。
【００２６】
このように、両側部１４，１４、背部１５、及び正面部１６の糊層１９，１９・・が密着することで、紙袋１３は閉じられ、収容された糞２２が外にはみ出すことはない。糞２２は閉じられたままで家に持ち帰って、蓋３ａ，３ｂを開いて紙袋１３を取出し、トイレに流すことが出来る。ところで、上記図４に示した紙袋１３はその横断面を概略三角形としているが、これは収容部２の断面形状に合わせている。そして、雨天時には紙袋１３の代わりに耐水性のある収容袋(例えばビニール袋)が使用される。
【００２７】
収容部２を閉じる蓋３ａ，３ｂは軸４ａ，４ｂを中心として回転可能に取付けた構造としている為に、概略三角形断面形状が適している。そこで、蓋３ａ，３ｂの開閉動作を直線スライドするように構成するならば、四角形断面の収容部となり、蓋も四角形とすることが出来る。ただし、蓋をスライドさせて開閉するよりも、回転動作の方が構造的に簡単であり、しかもスムーズな開閉が可能となる。勿論、収容部の横断面を円形とし、蓋を半円形とすることも出来、この場合も該蓋は回転して開閉することになる。
【００２８】
図７は本考案に係るペット用携帯トイレを表している他の実施例である。上記収容部２３は半球体をしたお椀形で、蓋２４ａ，２４ｂは１／４球体(４分割球体)で、閉じることで半球体の収容部２３の上部を覆うことが出来る。蓋２４ａ，２４ｂは収容部２３より一回り大きくて、(ａ)に示すように開いた状態では収容部２３の外周に重なりあった２重構造となる。蓋２４ａは軸２５ａに軸支されて回転可能とし、同じく蓋２４ｂは軸２５ｂに軸支されて回転することが出来る。
【００２９】
図８は蓋２４ａ，２４ｂの回転・ロック機構を表している具体例であり、蓋２４ａ，２４ｂは図７(ａ)のように常に開く方向にバネ力が付勢されている。このバネ力付勢手段として図８に示すペット用携帯トイレの場合には、コイルスプリング２６ａ，２６ｂが設けられ、その一端は蓋２４ａ，２４ｂを軸支している軸２５ａ，２５ｂに固定され、他端は連結部２７ａ，２７ｂに固定されている。
【００３０】
そして、上記軸２５ａ，２５ｂより外側に小さな穴２８ａ，２８ｂが形成され、この穴２８ａ，２８ｂには嵌入ピン２９ａ，２９ｂの先端が嵌っている。嵌入ピン２９ａ，２９ｂはアーム１側に設けられ、嵌入ピン２９ａ，２９ｂの先端が穴２８ａ，２８ｂに嵌ることで蓋２４ａ，２４ｂは閉じることなく図７(ａ)のように開いた状態に保たれる。
【００３１】
嵌入ピン２９ａ，２９ｂを引いて穴２８ａ，２８ｂから引き抜くならば、捩られているコイルスプリング２６ａ，２６ｂのバネ力が作用して蓋２４ａ，２４ｂは閉じることが出来る。該嵌入ピン２９ａ，２９ｂは操作棒３０から２本に分岐しており、操作棒３０はアーム１の中心軸部に設けた穴に嵌っている。従って、アーム１の先端(手元側)にて操作棒３０を引くことで嵌入ピン２９ａ，２９ｂを穴２８ａ，２８ｂから外すことが出来る。
【００３２】
図９は上記図７の収容部２３にセットされる紙袋３１を示している。(ａ)は蓋２４ａ，２４ｂが開いた状態であり、(ｂ)は蓋２４ａ，２４ｂが閉じた場合である。紙袋３１は概略半球体を成してその上縁には縁リング３２ａ，３２ｂが設けられ、半円形の縁リング３２ａ，３２ｂは軸３３を中心として回転して(ｂ)のように閉じることが出来る。
【００３３】
ところで、該紙袋３１の容器３４は蛇腹形態と成っている為に、縁リング３２      ａ，３２ｂを閉じて概略球体とすることが出来る。縁リング３２ａ，３２ｂの底面には粘着テープが貼着され、これを剥して収容部２３にセットし、縁リング３２ａ，３２ｂの底面を蓋２４ａ，２４ｂのリング上面３５ａ，３５ｂに接着される。従って、蓋２４ａ，２４ｂが回転して閉じるならば、紙袋３１も図９(ｂ)のように閉じることが出来る。
【００３４】
使い方は前記実施例の場合と同じであり、ペットを散歩させる際に、このペット用携帯トイレを持ち歩き、ペットが糞をしようとする場合、アーム１を持って収容部２３を所定の位置に置くならば、糞は収容部２３にセットしてある紙袋内に落ちて収容される。糞が収容されたところで操作棒３０を引いて嵌入ピン２９ａ，２９ｂを解除するならば、蓋２４ａ，２４ｂはコイルスプリング２６ａ，２６ｂのバネ力の作用で閉じることが出来る。
【００３５】
そして、蓋２４ａ，２４ｂが閉じると同時に紙袋３１も閉じて縁リング３２ａ，３２ｂの上面３６に設けている粘着層が互いに接着する。その後、蓋２４ａ，２４ｂを開いて紙袋３１を取出して捨てることが出来る。ここで、縁リング３２ａ，３２ｂの上面３６の接着力を下面より強くしておくことで、蓋２４ａ，２４ｂを開いても紙袋３１が開くことはない。
【００３６】
図７に示すペット用携帯トイレでは、収容部２３に取付けた蓋２４ａ，２４ｂは外側に配置されているが、収容部２３の内側に配置する構造とすることも可能である。コイルスプリング２６ａ，２６ｂのバネ力を強くしておくならば、蓋２４ａ，２４ｂを開いた状態で地面に接していても該蓋２４ａ，２４ｂは閉じることが出来る。しかし、蓋２４ａ，２４ｂを収容部２３の内側に取付けた構造とするならば、蓋２４ａ，２４ｂの閉鎖動作はスムーズである。
【図面の簡単な説明】
【００３７】
【図１】本考案に係るペット糞の処理具を示す実施例。
【図２】収容部に取付けた蓋の開閉機構。
【図３】アームに設けたガイド溝。
【図４】収容部にセットされる紙袋の具体例。
【図５】紙袋を収容部にセットした場合。
【図６】糞を入れた紙袋が閉じた場合。
【図７】本考案に係るペット糞の処理具を示す他の実施例。
【図８】収容部に取付けた蓋の開閉機構。
【図９】収容部にセットされる紙袋の具体例。
【符号の説明】
【００３８】
１  アーム
２  収容部
３  蓋
４  軸
５  ピニオン
６  ラック
７  コイルスプリング
８  連結部
９  スライド棒
10  ガイド溝
11  係合溝
12  ハンドル
13  紙袋
14  側部
15  背部
16  正面部
17  底部
18  止着片
19  糊層
20  クリップ
21  容器部
22  糞
23  収容部
24  蓋
25  軸
26  コイルスプリング
27  連結部
28  穴
29  嵌入ピン
30  操作棒
31  紙袋
32  縁リング
33  軸
34  容器
35  リング上面
36  上面
【図１】
0003125778.tif 000003
【図２】
0003125778.tif 000004
【図３】
0003125778.tif 000005
【図４】
0003125778.tif 000006
【図５】
0003125778.tif 000007
【図６】
0003125778.tif 000008
【図７】
0003125778.tif 000009
【図８】
0003125778.tif 000010
【図９】
0003125778.tif 000011
【手続補正書】
【提出日】平成18年8月7日(2006.8.7)
【手続補正１】
【補正対象書類名】実用新案登録請求の範囲
【補正対象項目名】全文
【補正方法】変更
【補正の内容】
【実用新案登録請求の範囲】
【請求項１】
散歩中のペットの糞を収容する為に持ち歩くことが出来る携帯トイレにおいて、アームの先端には収容部を設けると共に該収容部には開閉蓋が取付けられ、そして収容部の収容空間には紙袋などの収容袋をセット可能としたことを特徴とするペット用携帯トイレ。
【請求項２】
散歩中のペットの糞を収容する為に持ち歩くことが出来る携帯トイレにおいて、アームの先端には収容部を設けると共に該収容部には開閉蓋が取付けられ、蓋は軸を中心として回転するように軸支され、該軸には同心をなして蓋に固定したピニオンが設けられ、そして両ピニオンに噛み合うラックを設け、ラック後端からスライド棒を延ばして先端にはハンドルを屈曲して設け、上記アームに形成したガイド溝にはハンドルを嵌めてスライドすると共にハンドルが係合する係合溝を形成し、さらに上記ラックには蓋が閉じるようにバネ力を付勢し、上記収容部の収容空間には紙袋などの収容袋をセット可能にしたことを特徴とするペット用携帯トイレ。
【請求項３】
上記蓋に収容袋を止着する為のクリップを設けた請求項１、又は請求項２記載のペット用携帯トイレ。
【請求項４】
散歩中のペットの糞を収容するための携帯トイレであって、アームの先端の収容部に設けた蓋を開いて形成される収容空間にセットされる紙袋などの収容袋において、該収容袋の内面には蓋が閉じることで互いに接着される糊層を形成したことを特徴とするペット糞の収容袋。
【請求項５】
散歩中のペットの糞を収容する為に持ち歩くことが出来る携帯トイレにおいて、携帯トイレのアーム先端には概略半球体の収容部を設けると共に該収容部には１／４球体の蓋が取付けられ、蓋は軸を中心として回転するように軸支され、また蓋には常に閉じる方向のバネ力が付勢され、そして蓋を開いた状態に保つ為の保持手段を設け、上記概略半球体の収容部の収容空間にはペットの糞を収容する為に紙袋などで構成したペット糞の収容袋をセット可能にしたことを特徴とするペット用携帯トイレ。
【請求項６】
散歩中のペットの糞を収容する為に持ち歩くことが出来る携帯トイレにおいて、アームの先端には概略半球体の収容部を設けると共に該収容部には１／４球体の蓋が取付けられ、蓋は軸を中心として回転するように軸支され、また蓋には常に閉じる方向のバネ力が付勢され、そして蓋を開いた状態に保つ為に蓋に形成した穴に嵌入ピンを挿入し、該嵌入ピンは操作棒に連結して穴から離脱可能とし、さらに上記収容部の収容空間には紙袋などの収容袋をセット可能にしたことを特徴とするペット用携帯トイレ。
【請求項７】
散歩中のペットの糞を収容する為に持ち歩くことが出来る携帯トイレであって、携帯トイレのアーム先端の収容部に設けた蓋を開いて形成される収容空間にセットされてペットの糞を収容する為のペット糞収容袋において、該収容袋は概略半球体をなして上部には縁リングを設け、縁リングは中立軸を中心として回転すると共に収容袋の容器は伸縮可能な蛇腹形態として該縁リングは閉じることが出来、縁リングの下面には蓋のリング上面に接着される粘着層を形成すると共に、閉じた縁リングが互いに固着するように上面にも粘着層を設けたことを特徴とするペット糞の収容袋。
【請求項８】
散歩中のペットの糞を収容する為に持ち歩くことが出来る携帯トイレであって、携帯トイレのアーム先端の収容部に設けた蓋を開いて形成される収容空間にセットされてペットの糞を収容する為のペット糞収容袋において、上記収容部は概略半球体をなすと共に蓋は１／４球体として収容部に設けた軸を中心として回転するように軸支され、また蓋には常に閉じる方向のバネ力を付勢して構成され、収容袋は収容部の収容空間に嵌る容器部と蓋が閉じた際に挟まれると共に該蓋から外にはみ出すことが出来る周辺部を形成したことを特徴とするペット糞の収容袋。